(57)【要約】【課題】従来の展示棚では実現できない斬新な展示態様を実現可能で高い注目度向上効果が得られる画期的な展示棚の提供。【解決手段】垂直方向に立設される３本以上の支柱部材１と、この支柱部材１間に架設状態に支持される棚部材２，３とを有する展示棚であって、前記棚部材２，３は、この棚部材２，３に設けられる挿通部４に夫々回転自在に挿通される前記各支柱部材１により支持し、前記各支柱部材１には、この支柱部材１の中心軸と直交する同一方向に同一突出量膨出屈曲する膨出屈曲部５を夫々設け、前記支柱部材１を回転させた際、少なくとも前記各膨出屈曲部５間に架設状態に支持された前記棚部材２がこの各膨出屈曲部５の回転によって水平方向に周回移動するように構成する。【選択図】図１
2020039844.tif 000002
【特許請求の範囲】
【請求項１】
垂直方向に立設される３本以上の支柱部材と、この支柱部材間に架設状態に支持される棚部材とを有する展示棚であって、前記棚部材は、この棚部材に設けられる挿通部に夫々回転自在に挿通される前記各支柱部材により支持されており、前記各支柱部材には、この支柱部材の中心軸と直交する同一方向に同一突出量膨出屈曲する膨出屈曲部が夫々設けられ、少なくとも１つの前記棚部材は、前記各膨出屈曲部間に架設状態に支持されており、前記支柱部材を回転させた際、少なくとも前記各膨出屈曲部間に架設状態に支持された前記棚部材がこの各膨出屈曲部の回転によって水平方向に周回移動するように構成されていることを特徴とする展示棚。
【請求項２】
前記棚部材は垂直方向に複数段に設けられ、少なくとも１つの前記棚部材は、前記支柱部材の屈曲していない直線部間に架設状態に支持されており、前記支柱部材を回転させた際、前記直線部間に架設状態に支持された前記棚部材は水平方向に移動しないように構成されていることを特徴とする請求項１記載の展示棚。
【請求項３】
前記各支柱部材には前記膨出屈曲部が複数ずつ設けられていることを特徴とする請求項１，２いずれか１項に記載の展示棚。
【請求項４】
一の前記支柱部材に設けられる複数の前記膨出屈曲部は夫々異なる位相で設けられていることを特徴とする請求項３記載の展示棚。
【請求項５】
前記支柱部材をその中心軸回りに回転させる駆動機構が設けられていることを特徴とする請求項１〜４いずれか１項に記載の展示棚。
【発明の詳細な説明】
【技術分野】
【０００１】
本発明は、展示棚に関するものである。
【背景技術】
【０００２】
従来、商品の販売目的やアート作品の紹介目的等として展示物を設置する際に、観察者への注意喚起の観点から、展示物を単に置いただけの静的な展示ではなく、何らかの工夫により動的に展示する展示棚が知られている。
【０００３】
例えば特許文献１，２には、垂直（縦）方向を中心軸として回転する複数段のターンテーブル上に展示物を展示する回転式の展示棚が開示されているが、動的な展示とは言えその動きは単調であり、面白味がなく注目度向上効果に乏しい。
【先行技術文献】
【特許文献】
【０００４】
【特許文献１】実開平４−５９７６４号公報
【特許文献２】特開２００２−３６９７３４号公報
【発明の概要】
【発明が解決しようとする課題】
【０００５】
本発明は、上述のような現状に鑑みなされたもので、棚部材を支持する各支柱部材にその中心軸と直交する同一方向に同一突出量膨出屈曲する膨出屈曲部を夫々設け、棚部材を各膨出屈曲部間に架設状態に支持させることで、支柱部材を回転させた際、各膨出屈曲部間に架設状態に支持された棚部材がこの各膨出屈曲部の回転（移動）によって水平方向に周回移動するように構成することで、即ち、この棚部材の中心位置が前後左右に移動する所謂偏心運動をし得るように構成することで、従来の展示棚では実現できない斬新な展示態様を実現可能で高い注目度向上効果が得られる画期的な展示棚を提供するものである。
【課題を解決するための手段】
【０００６】
添付図面を参照して本発明の要旨を説明する。
【０００７】
垂直方向に立設される３本以上の支柱部材１と、この支柱部材１間に架設状態に支持される棚部材２，３とを有する展示棚であって、前記棚部材２，３は、この棚部材２，３に設けられる挿通部４に夫々回転自在に挿通される前記各支柱部材１により支持されており、前記各支柱部材１には、この支柱部材１の中心軸と直交する同一方向に同一突出量膨出屈曲する膨出屈曲部５が夫々設けられ、少なくとも１つの前記棚部材２は、前記各膨出屈曲部５間に架設状態に支持されており、前記支柱部材１を回転させた際、少なくとも前記各膨出屈曲部５間に架設状態に支持された前記棚部材２がこの各膨出屈曲部５の回転によって水平方向に周回移動するように構成されていることを特徴とする展示棚に係るものである。
【０００８】
また、前記棚部材２，３は垂直方向に複数段に設けられ、少なくとも１つの前記棚部材３は、前記支柱部材１の屈曲していない直線部６間に架設状態に支持されており、前記支柱部材１を回転させた際、前記直線部６間に架設状態に支持された前記棚部材３は水平方向に移動しないように構成されていることを特徴とする請求項１記載の展示棚に係るものである。
【０００９】
また、前記各支柱部材１には前記膨出屈曲部５が複数ずつ設けられていることを特徴とする請求項１，２いずれか１項に記載の展示棚に係るものである。
【００１０】
また、一の前記支柱部材１に設けられる複数の前記膨出屈曲部５は夫々異なる位相で設けられていることを特徴とする請求項３記載の展示棚に係るものである。
【００１１】
また、前記支柱部材１をその中心軸回りに回転させる駆動機構が設けられていることを特徴とする請求項１〜４いずれか１項に記載の展示棚に係るものである。
【発明の効果】
【００１２】
本発明は上述のように構成したから、従来の展示棚では実現できない斬新な展示態様を実現可能で高い注目度向上効果が得られる画期的な展示棚となる。
【図面の簡単な説明】
【００１３】
【図１】本実施例の概略説明斜視図である。
【図２】本実施例の概略説明側面図である。
【図３】本実施例の要部の拡大概略説明縦断面図である。
【図４】本実施例の要部の拡大概略説明横断面図である。
【図５】本実施例の棚部材２の動きを説明する概略説明平面図である。
【図６】図１から支柱部材１が９０°回転した状態の概略説明縦斜視図である。
【図７】図１から支柱部材１が１８０°回転した状態の概略説明縦斜視図である。
【図８】図１から支柱部材１が２７０°回転した状態の概略説明縦斜視図である。
【発明を実施するための形態】
【００１４】
好適と考える本発明の実施形態を、図面に基づいて本発明の作用を示して簡単に説明する。
【００１５】
棚部材２を各支柱部材１の各膨出屈曲部５間に架設状態に支持した状態で、支柱部材１を回転させると、各膨出屈曲部５に支持される棚部材２は膨出屈曲部５の回転に応じて水平方向に周回移動（偏心運動）する。
【００１６】
即ち、各膨出屈曲部５に支持される棚部材２が偏心運動して外側にもはみ出すように移動することから、躍動感がある斬新な展示態様となり、高い注目度向上効果が発揮される。
【００１７】
また、膨出屈曲部５に支持される棚部材２に載置された展示物Ｘは、展示棚正面の観察者に所定の面を向けたまま水平方向に周回移動（水平移動）するため（図１，６〜８参照）、棚部材を水平方向に連続的に動かしつつも展示物Ｘが観察者に対して常に一定方向を向くように展示することができ、水平方向への周回移動により注意を惹かせつつ展示物Ｘの特に見せたい部分・見せたいアングルを重点的にアピールできる等、今までにない展示態様を実現できる。
【００１８】
また、例えば、棚部材２，３を垂直方向に複数段に設け、支柱部材１の屈曲していない直線部６間にも棚部材３を架設状態に支持させた構成とすると、水平方向に周回移動する棚部材２（移動棚）と移動しない棚部材３（固定棚）とが混在し、偏心運動する棚部材２の躍動感が際立ち、一層斬新で注目度向上効果が高いものとなる。
【実施例】
【００１９】
本発明の具体的な実施例について図面に基づいて説明する。
【００２０】
本実施例は、垂直方向に立設される３本以上の支柱部材１と、この支柱部材１間に架設状態に支持される棚部材２，３とを有する展示棚であって、前記棚部材２，３は、この棚部材２，３に設けられる挿通部４に夫々回転自在に挿通される前記各支柱部材１により支持されており、前記各支柱部材１には、この支柱部材１の中心軸と直交する同一方向に同一突出量膨出屈曲する膨出屈曲部５が夫々設けられ、少なくとも１つの前記棚部材２は、前記各膨出屈曲部５間に架設状態に支持されており、前記支柱部材１を回転させた際、少なくとも前記各膨出屈曲部５間に架設状態に支持された前記棚部材２がこの各膨出屈曲部５の回転によって水平方向に周回移動するように構成されているものである。
【００２１】
各部を具体的に説明する。
【００２２】
支柱部材１はステンレス製パイプであり、屈曲していない直線部６間に膨出屈曲部５が設けられた構成である。本実施例においては、４本の各支柱部材１は、複数の膨出屈曲部５が同様に設けられた同一形状としている。
【００２３】
具体的には、図１，２に図示したように、各支柱部材１は３つの直線部６を有し、各直線部６間に夫々（計２つ）膨出屈曲部５が設けられた構成である。なお、膨出屈曲部５の数は、１つとしても３つ以上としても良い。支柱部材１は、一直線上に配置される直線部６を中心軸としてこの中心軸周りに回転するように設けられている。
【００２４】
この４本の支持部材１により複数の棚部材２，３が架設状態で支持され、棚部材２，３が垂直方向に複数段に設けられている。
【００２５】
棚部材２，３は木製であり、この棚部材２，３に設けられる挿通部４に夫々回転自在に挿通される前記各支柱部材１により支持されている。挿通部４としての貫通孔４は、平坦な載置面を有する板状（正方形状）の棚部材２，３の四隅部に夫々設けられている。なお、支持部材１は４本に限らず、３本でも５本以上の構成としても良い。その場合、棚部材２，３の形状や挿通部４の位置は適宜設定する。
【００２６】
棚部材２，３は、支柱部材１の棚部材２，３を設置する所定高さ位置に設けられ支柱部材１の周面から突出して棚部材２，３を受ける受け部材16で受けられている。受け部材16は固定ネジ等で支柱部材１に回転不能に固定される。
【００２７】
本実施例においては、受け部材16として、支柱部材１に被嵌される（支柱部材１の途中部に径大部を形成する）、棚部材２，３の挿通部４（貫通孔４）の下端周縁部を受ける第一径大部16ａと第一径大部16ａの上方に連設される第二径大部16ｂとから成る環部材が採用されている。第二径大部16ｂは、貫通孔４内に配設され貫通孔４の内径より僅かに径小な外径を有する構成とすることで（第二径大部16ｂの回転を阻害しない隙間を持たせつつ第二径大部外周面を貫通孔内周面に略合致させることで）、後述する１つの支柱部材１を回転させた際の棚部材２を介しての他の支柱部材１の従動回転が良好に行われる。
【００２８】
従って、第一径大部16ａの上面に棚部材２，３が（第一径大部16ａ及び第二径大部16ｂと棚部材２，３とが固定されていない状態で）載置され、支柱部材１の回転が許容された状態で棚部材２，３が支持される。
【００２９】
本実施例では、少なくとも１つの棚部材２は、支柱部材１の中心軸と直交する同一方向に同一突出量（本実施例では１０ｃｍ）膨出屈曲する膨出屈曲部５間に架設状態に支持されている。各支柱部材１の膨出屈曲部５は、棚部材２を水平に支持するように各支柱部材１の同一高さ位置に夫々設けられている。
【００３０】
具体的には、上側の棚部材２を支持するグループを構成する上側の各膨出屈曲部５と、下側の棚部材２を支持するグループを構成する下側の各膨出屈曲部５とが、夫々同一高さ位置に設けられている。そして、同一高さ位置に設けた各膨出屈曲部５に高さ位置を揃えて上述の受け部材16が設けられている。なお、膨出屈曲部５の突出量は各棚部材２を支持するグループで夫々異ならせても良い。
【００３１】
そして、支柱部材１を回転させた際、各膨出屈曲部５間に架設状態に支持された棚部材２がこの各膨出屈曲部５の回転によって水平方向に周回移動（偏心運動）するように構成されている。
【００３２】
本実施例においては、各支柱部材１には膨出屈曲部５が複数ずつ設けられているが、一の支柱部材１に設けられる複数の膨出屈曲部５は夫々異なる位相で設けられている。
【００３３】
具体的には、各支柱部材１に２つの膨出屈曲部５が、夫々１８０°異なる位相で設けられている。従って、各膨出屈曲部５間に夫々架設状態で支持される各棚部材２の偏心運動も位相が１８０°異なる運動となり、各棚部材２に載置される展示物が異なる方向にスイングしているように移動するため、一層躍動感を持った動的に斬新な展示が可能となる。なお、一の支柱部材１に設けられる各膨出屈曲部５の位相は同一としても良い。
【００３４】
また、本実施例の膨出屈曲部５は、直線部６に対して傾斜する斜設部５ａと斜設部５ａ間に設けられる直線状の中間部５ｂとで構成されており、本実施例では中間部５ｂで棚部材２を支持する構成としている。
【００３５】
従って、中心軸となる直線部６に対して中間部５ｂがその突出量に応じて偏心運動し、この中間部５ｂに支持される棚板部２も偏心運動する。
【００３６】
また、少なくとも１つの棚部材３は、直線部６間に架設状態に支持されており、支柱部材１を回転させた際、直線部６間に架設状態に支持された棚部材３は水平方向に移動しないように構成されている。直線部６も膨出屈曲部５と同様に、各支柱部材１の同一高さ位置に設け、同一高さ位置に設けた各直線部６に高さ位置を揃えて上述の受け部材16が設けられている。
【００３７】
本実施例では、各支柱部材１の３つの直線部６のうち、上から２つの直線部６に夫々棚部材３が支持されている。直線部６は、支柱部材１の中心軸（回転軸）と同一軸線上に位置するため、棚部材３の挿通部４内で自転するのみで、よって、直線部６間に架設状態に支持される棚部材３の位置は変わらない（移動しない）。
【００３８】
従って、本実施例は、移動する棚部材２（移動棚）と移動しない棚部材３（固定棚）とが垂直方向に交互に計４段設けられた構成となり、移動する２つの棚部材２が夫々位相が１８０°異なる偏心運動をすることから、棚部材２の躍動感が際立つ極めて斬新な展示態様を実現できることになる。なお、固定棚を設けず、全て移動棚とする構成としても良い。
【００３９】
また、本実施例では、１つの支柱部材１をその中心軸回りに回転させる駆動機構が設けられている。図３，４中、符号７はモータ、８はモータ固定部材、９は駆動ベルト、10はモータ７の駆動軸に設けられる駆動プーリ、11は１つの支柱部材１の下端部に固定される従動プーリ、12は支柱部材１を回転自在に支持する支柱支持部、13はカバー体、14は展示棚全体を固定する基礎部材、15は支柱支持部12に支持された支柱部材１の下端部の抜け防止部材である。１つの支柱部材１を駆動機構により回転させることで棚部材２を介して他の支柱部材１も従動回転する。なお、駆動機構は駆動ベルトではなく歯車を用いた構成としても良いし、モータを用いずに手動で支柱部材１を回転させる構成としても良い。また、各支柱部材１を夫々駆動機構により回転させる構成としても良い。
【００４０】
また、本実施例においては、棚部材２，３として平坦な載置面を有する矩形板状のものを採用しているが、例えば手前側が低く奥側が高い違い棚様（階段状）としても良い。この場合には、当然、各支柱部材１の対応する各膨出屈曲部５若しくは直線部６（及び受け部材16）の高さ位置は各支柱部材１で同一高さとせず、手前側の支柱部材１に対して奥側の支柱部材１が高くなるように適宜設定する。
【００４１】
以上の構成の展示棚の棚部材２の動きについて、図１、図２及び図５（ａ）に図示した状態を始点として１つの支柱部材１を時計回りに３６０°回転駆動させる場合について説明する。なお、図５では一番上の棚部材３を省略している。
【００４２】
図１、図２及び図５（ａ）の始点位置（０°）では、上側の棚部材２を支持する膨出屈曲部５が右側に突出した状態であり上側の棚部材２は図５中で右寄り位置にある。
【００４３】
１つの支柱部材１を駆動機構により回転させ当該支柱部材１の膨出屈曲部５が時計回りに４５°回転すると、当該膨出屈曲部５に支持された棚部材２が連動して水平移動し、この棚部材２の移動に伴って他の膨出屈曲部５も回転することで、上側の棚部材２は図５中で右下寄り位置に水平に変位する（図５（ｂ）参照）。即ち、棚部材２はその中心位置を変えながら偏心状態で水平回転運動する。
【００４４】
同様に９０°で下寄り位置（図５（ｃ）及び図６）、１３５°で左下寄り位置（図５（ｄ））、１８０°で左寄り位置（図５（ｅ）及び図７）、２２５°で左上寄り位置（図５（ｆ））、２７０°で上寄り位置（図５（ｇ）及び図８）、３１５°で右上寄り位置（図５（ｈ））に夫々膨出屈曲部５及び棚部材２が変位し、３６０°で始点位置に戻る。なお、下側の棚部材２は上側の棚部材２と位相が１８０°異なる動きとなる。また、棚部材３は変位しない。
【００４５】
図１及び図６〜図８から明らかなように、棚部材２に載置される展示物Ｘは展示棚正面の観察者に所定の面を向けたまま水平方向に周回移動（水平移動）する。即ち、観察者に対して常に同じ個所を対面させることができる。
【００４６】
従って、本実施例は、展示物Ｘの特定箇所を常に一定方向に維持した状態で水平方向への動きを伴いながら連続的に展示することができ、従来の展示棚では実現できない斬新な展示態様を実現可能となる。
【００４７】
本発明は、本実施例に限られるものではなく、各構成要件の具体的構成は適宜設計し得るものである。
【符号の説明】
【００４８】
１  支柱部材
２・３  棚部材
４  挿通部
５  膨出屈曲部
６  直線部
【図１】
2020039844.tif 000003
【図２】
2020039844.tif 000004
【図３】
2020039844.tif 000005
【図４】
2020039844.tif 000006
【図５】
2020039844.tif 000007
【図６】
2020039844.tif 000008
【図７】
2020039844.tif 000009
【図８】
2020039844.tif 000010